(57)【要約】【課題】  足場の妻側端部において上段側足場の先行手摺として取り付ける安全手摺であって、短時間で簡単に取り付ける出来る安全手摺を提供する。【解決手段】  左右一対の縦材８，８と横材９とからなる足場用建枠７の対向する両横材９，９間に足場板１７を架け渡して組み立てられる足場の組立にあたり、足場の妻側端部で上段側足場の先行手摺として取り付ける安全手摺であって、足場用建枠７の両縦材８，８の間隔より狭い間隔で配置される左右一対の縦桟２，２、両縦桟２，２の上端部をつなぐ横桟３及び両縦桟２，２の中間部をつなぐ中桟４からなる手摺本体６を有し、手摺本体６の両縦桟２，２に足場用建枠７の横材９両端部に掛止されるフック１１を設け、両縦桟２，２下端部に足場用建枠７の両縦桟２，２に係嵌固定される固定金具１２を設ける。【選択図】図５
2005076445.tif 000002
【特許請求の範囲】
【請求項１】
左右一対の縦材と両縦材の上端部をつなぐ横材とからなる足場用建枠の対向する両横材間に足場板を架け渡して組み立てられる足場の組立にあたり、足場の妻側端部において新設する上段側足場の先行手摺として取り付ける安全手摺であって、
足場用建枠の両縦材の間隔より狭い間隔で配置される左右一対の縦桟、両縦桟の上端部をつなぐ横桟及び両縦桟の中間部をつなぐ中桟からなる手摺本体を有し、
手摺本体の両縦桟には前記横桟より下方で足場用建枠の横材両端部に掛止されるフックを設け、両縦桟の下端部には足場用建枠の両縦材に係嵌されて固定される固定金具を設けてなる安全手摺。
【請求項２】
前記固定金具は、コ字状枠片と、コ字状枠片に係嵌された縦材を圧接するロックネジとからなる請求項１に記載の安全手摺。
【請求項３】
前記手摺本体には、両縦桟の下端部側をつなぐ補強桟を設けてなる請求項１又は２に記載の安全手摺。
【発明の詳細な説明】
【技術分野】
【０００１】  本発明は、建設作業現場において、左右一対の縦材と両縦材の上端部をつなぐ横材とからなる足場用建枠の対向する両横材間に足場板を架け渡して組み立てられる足場の組立にあたり、足場の妻側端部において新設する上段側足場の先行手摺として取り付ける安全手摺に関する。
【背景技術】
【０００２】  足場の組立にあたり上段側足場板の先行手摺として足場の桁側、つまり足場板の長手方向に沿った足場の側面側に設置される安全手摺は、従来より知られているが、足場の妻側端部において、新設する上段側足場板の先行手摺として取り付ける安全手摺は今だ採用されていない。従来、足場の妻側端部には、足場用建枠の両縦材に棒材を水平に掛け渡して鉄線等で縛るようにしていたが、取付けに手間がかかる上に、非常に不安定であった。
【発明の開示】
【発明が解決しようとする課題】
【０００３】  本発明は、足場の妻側端部において上段側足場の先行手摺として取り付ける安全手摺であって、短時間で簡単容易に取り付ける出来る、構造的にも頑丈な安全手摺を提供することを目的とする。
【課題を解決するための手段】
【０００４】  請求項１に係る発明は、左右一対の縦材８，８と両縦材８，８の上端部をつなぐ横材９とからなる足場用建枠７の対向する両横材９，９間に足場板１７を架け渡して組み立てられる足場の組立にあたり、足場の妻側端部において新設する上段側足場の先行手摺として取り付ける安全手摺であって、足場用建枠７の両縦材８，８の間隔より狭い間隔で配置される左右一対の縦桟２，２、両縦桟２，２の上端部をつなぐ横桟３及び両縦桟２，２の中間部をつなぐ中桟４からなる手摺本体６を有し、手摺本体６の両縦桟２，２には前記横桟３より下方で足場用建枠７の横材９両端部に掛止されるフック１１を設け、両縦桟２，２の下端部には足場用建枠７の両縦桟２，２に係嵌されて固定される固定金具１２を設けてなることを特徴とする。【０００５】  請求項２は、請求項１に記載の安全手摺において、前記固定金具１２は、コ字状枠片１３と、コ字状枠片１３に係嵌された足場用建枠７の縦材８を圧接するロックネジ１５とからなることを特徴とする。【０００６】  請求項３は、請求項１又は２に記載の安全手摺において、前記手摺本体６には、両縦桟２，２の下端部側をつなぐ補強桟５を設けてなることを特徴とする。
【発明の効果】
【０００７】  請求項１に係る安全手摺によれば、足場用建枠の両縦材の間隔より狭い間隔で配置される左右一対の縦桟、両縦桟の上端部をつなぐ横桟及び両縦桟の中間部をつなぐ中桟からなる手摺本体を有し、手摺本体の両縦桟には横桟より下方で足場用建枠の横材両端部に掛止されるフックを設け、両縦桟の下端部には足場用建枠の両縦桟に係嵌されて固定される固定金具を設けてなるもので、作業者が足場の内側にて安全手摺を両手で持ち上げながら、フックを足場用建枠の横材に足場の外側から掛止させて、横材に荷重を預けた状態でフックを支点として手摺本体を下向きに回転させながら直立状態にした後、固定金具のコ字状枠片を足場用建枠の縦材に外側から係嵌させるようにすることよって、作業者は、安全手摺を足場の内側から一人で簡単容易に且つ安全に取り付けることがでる。また、この安全手摺は、構造的に頑丈で安定した取付けができると共に、部材点数が少なく、構造が簡単であるから、製作が容易で、きわめて安価に提供することができる。【０００８】  請求項２に記載のように、固定金具が、コ字状枠片と、これにに係嵌された足場用建枠の縦材を圧接するロックネジとからなるものによれば、固定金具の構造がきわめて簡単で製作が容易であるから、コストを安くできる。【０００９】  請求項３に記載のように、手摺本体に両縦桟の下端部側をつなぐ補強桟を設けることにより、手摺本体が一層頑強で安定した構造となり、耐用性が向上する。
【発明を実施するための最良の形態】
【００１０】  図１の（ａ）は本発明に係る安全手摺１の正面図、（ｂ）は平面図、（ｃ）は側面図であり、図２の（ａ）は図１の（ａ）の矢印Ａで示す部分の拡大正面図、（ｂ）は同部分の拡大平面図、（ｃ）は図１の（ｃ）の矢印Ｂで示す部分の拡大正面図である。また図３〜図５は安全手摺１の取付方法を説明する説明斜視図である。足場用建枠７は、左右一対の縦材８，８と、両縦材８，８の上端部をつなぐ横材９と、縦材８と横材９との間の補強材１０からなるものである。安全手摺１は、足場用建枠７の両縦材の間隔より狭い間隔で配置される左右一対の縦桟２，２と、両縦桟２，２の上端部をつなぐ横桟３と、この横桟３に近い位置で両縦桟２，２の中間部をつなぐ中桟４と、両縦桟２，２の下端部をつなぐ補強桟５とからなる手摺本体６を有する。【００１１】  手摺本体６の両縦桟２，２には横桟よりも下方位置で足場の外側から足場用建枠７の横桟３の両端部に掛止されるフック１１が設けられ、両縦桟２，２の下端部には足場の外側から足場用建枠７の両縦材８，８に夫々係嵌されて固定される固定金具１２が設けられている。固定金具１２は、取付部材１４を介して縦桟２に取り付けられたコ字状枠片１３と、コ字状枠片１３に螺装されていて、コ字状枠片１３に係嵌された足場用建枠７の縦材８を圧接するロックネジ１５とからなる。【００１２】  上記のように構成される安全手摺１の取付方法について説明すると、先ず、図３に示すように、地上に一対の足場用建枠７，７を対向配置して、両足場用建枠７，７の対向する縦材８，８杆にブレス１６を掛張しながら、一段目の足場を組み立て、そしてこの一段目の足場の妻側端部となる足場用建枠７に安全手摺１を取り付ける。【００１３】  この安全手摺１の取付けにあたっては、図４に示すように、足場の内側にいる作業者が安全手摺１を両手で持ち上げながら、フック１１，１１を足場用建枠７の横材９に外側から掛止させて、この横材９に荷重を預けた状態とする。この時、作業者の片方の手は図示のように手摺本体６の補強桟５を保持する。【００１４】  しかして、このように足場用建枠７の横材９にフック１１を掛止した状態で、このフック１１を支点として手摺本体６を図４の矢印方向に下向きに回転させながら直立状態にした後、手摺本体６の両縦桟２，２の下端部にある固定金具１２，１２のコ字状枠片１３，１３を足場用建枠７の縦材８，８に外側から係嵌させ、図２の（ｂ）に示すような状態からロックネジ１５を回して縦材８を圧接し、固定する。このロックネジ１５を回すのは、電動工具を用いる。【００１５】  こうして一段目の足場の妻側端部となる足場用建枠７に安全手摺１を取付けたならば、対向する足場用建枠７，７の対向する横材９，９間に足場板１７を架け渡す。そし、この足場板１７の上に作業者が乗って、一段目の各足場用建枠７に二段目の足場用建枠７を継ぎ足し、図５に示すような状態とする。この二段目の足場用建枠７の継ぎ足し作業時には、一段目の足場の妻側端部に安全手摺１が先行して取り付けられているため、作業者は、その継ぎ足し作業を安全に行うことができる。【００１６】  以降は、図３〜図５によって説明した上記のような作業を繰り返し行い、足場の妻側端部において、新設す���上段側足場の先行手摺として安全手摺１を取り付けてゆく。この場合、安全手摺１は、各段の足場用建枠７にそのまま付け置きするのが好ましいが、先行手摺としての役割を果たした後、その安全手摺１を取り外して、次の上段側足場の先行手摺として取り付けるようにしてもよい。【００１７】  以上の説明は、足場の妻側端部において新設する上段側足場の先行手摺としての安全手摺１の取付方法についてのみ説明したが、足場の桁側、つまり足場板の長手方向に沿った足場の側面側に設置される安全手摺は、図示は省略するが、従来知られた方法によって取り付けられる。【００１８】  以上説明した本発明の安全手摺１は、足場用建枠７の両縦材８，８の間隔より狭い間隔で配置される左右一対の縦桟２，２、両縦桟２，２の上端部をつなぐ横桟３及び両縦桟２，２の中間部をつなぐ中桟４からなる手摺本体６を有し、この手摺本体６の両縦桟２，２には前記横桟３より下方で足場用建枠７の横材９両端部に掛止されるフック１１を設け、両縦桟２，２の下端部には足場用建枠７の両縦桟２，２に係嵌されて固定される固定金具１２を設けてなるもので、作業者が足場の内側にて安全手摺１を両手で持ち上げながら、フック１１，１１を足場用建枠７の横材９に足場の外側から掛止させて、この横材９に荷重を預けた状態で、フック１１を支点として手摺本体６を下向きに回転させながら直立状態にした後、固定金具１２，１２のコ字状枠片１３，１３を足場用建枠７の縦材８，８に外側から係嵌させ、ロックネジ１５を回して縦材８を固定すればよいから、作業者は、安全手摺１を一人で足場の内側から簡単容易に且つ安全に取り付けることがでる。【００１９】  また、この安全手摺１は、構造的に頑丈で安定した取付けができると共に、部材点数が少なく、構造がきわめて簡単であるから、製作が容易で、きわめて安価に提供することができる。【００２０】  またこの実施形態では、固定金具１２として、コ字状枠片１３と、コ字状枠片１３に係嵌された足場用建枠７の縦材８を圧接するロックネジ１５とからなるものを使用したが、この固定金具としては、一般に使用されるコ型クランプやパイプクランプ等を使用してもよい。但し、この実施形態のような構成の固定金具１２によれば、構造がきわめて簡単で製作が容易であるから、コストを安くすることができる。【００２１】  またこの実施形態では、手摺本体６の両縦桟２，２の下端部をつなぐ補強桟５を設けているから、手摺本体６が頑強で安定した構造となり、耐用性が向上する。
【図面の簡単な説明】
【００２２】
【図１】（ａ）は本発明に係る安全手摺１の正面図、（ｂ）は平面図、（ｃ）は側面図である。
【図２】（ａ）は図１の（ａ）の矢印Ａで示す部分の拡大正面図、（ｂ）は同部分の拡大平面図、（ｃ）は図１の（ｃ）の矢印Ｂで示す部分の拡大正面図である。
【図３】同上の安全手摺の取付方法を示す斜視図である。
【図４】同上の安全手摺のフックを足場用建枠の横材に掛止する要領を説明する斜視図である。
【図５】同上の安全手摺の取付方法を示す斜視図である。
【符号の説明】
【００２３】１              安全手摺
２              縦桟
３              横桟
４              中桟
５              補強桟
６              手摺本体
７              足場用建枠
８              縦材
９              横材
１１            フック
１２            固定金具
１３            コ字状枠片
１５            ロックネジ
【図１】
2005076445.tif 000003
【図２】
2005076445.tif 000004
【図３】
2005076445.tif 000005
【図４】
2005076445.tif 000006
【図５】
2005076445.tif 000007